(57)【要約】【課題】モバイルフォンハンドセットのようなエレクトロニックデバイスからのＦＭ信号の送信を適応制御する方法を提供する。【解決手段】一実施の形態においては、ハンドセットの地理的位置が決定される。ハンドセットの位置に基づいて、この位置においてＦＭ送信が許可されているのか否かが調べられる。もしＦＭ送信が許可されていれば、ハンドセットはＦＭ送信を開始することができる。しかしながら、この位置においてＦＭ送信が許可されていなければ、ＦＭ送信が許可されていないことがハンドセットの処理ユニットに通知され、ＦＭ送信は動作不能にされる。また、特定のメッセージをハンドセットのディスプレイ上に表示することができる。【選択図】図２
2008541537.tif 000002
【特許請求の範囲】
【請求項１】
ポータブルデバイスからＦＭラジオ信号を送信する方法であって、
上記ポータブルデバイスの地理的位置を検出するステップ（２０１）と、
上記検出された位置においてＦＭ送信が許可されているか否かを決定するステップ（２０２）と、
を含むことを特徴とする方法。
【請求項２】
上記検出された位置においてＦＭ送信が許可されているか否かをユーザに警告するステップ（２０４）、
を更に含むことを特徴とする請求項１に記載の方法。
【請求項３】
もし上記検出された位置においてＦＭ送信が許可されていなければ、ＦＭ送信を動作不能にするステップ（２０５）、
を更に含むことを特徴とする先行請求項の何れか１つに記載の方法。
【請求項４】
上記地理的位置は、ＧＰＳ、ガリレオ、グロナス、ＷＬＡＮをベースとする測位システムの１つを使用することによって決定されることを特徴とする先行請求項の何れか１つに記載の方法。
【請求項５】
上記地理的位置は、上記デバイスが動作中のセルラネットワークのセルのアイデンティティを決定することによって検出されることを特徴とする先行請求項の何れか１つに記載の方法。
【請求項６】
上記地理的位置は、上記デバイスが動作中のセルラネットワークのセルの搬送波コードを決定することによって検出されることを特徴とする先行請求項の何れか１つに記載の方法。
【請求項７】
ＦＭ送信が許可されているか否かを検出するモジュールであって、
ポータブルデバイス（１１０）の地理的位置を検出する手段と、異なる地理的位置におけるＦＭ送信の許可に関する情報を含むルックアップテーブルと、
を含むことを特徴とするモジュール。
【請求項８】
請求項７に記載のモジュールを含むことを特徴とするポータブルデバイス（１１０）。
【請求項９】
ＦＭ信号を送信するようになっているＦＭ送信機（３０５）を更に含むことを特徴とする請求項８に記載のポータブルデバイス（１１０）。
【請求項１０】
セルラ通信ネットワーク、衛星通信ネットワークの少なくとも１つからの信号を処理するプロセッサ（３１０）を更に含むことを特徴とする請求項８−９の何れか１つに記載のポータブルデバイス（１１０）。
【請求項１１】
上記ポータブルデバイスは、セルラ通信システムのモバイルフォンであることを特徴とする請求項８−１０の何れか１つに記載のポータブルデバイス（１１０）。
【請求項１２】
ＦＭ信号を送信することが可能な端末（１１０）、及びＦＭ信号を受信することが可能なデバイス（１２０）を含むシステムにおいて、上記端末が、
ＦＭ送信機の地理的位置を検出する手段と、
現位置においてＦＭ送信が許可されているか否かを決定する手段と、
を含むことを特徴とするシステム。
【請求項１３】
上記現位置においてＦＭ送信が許可されているか否かを限定する国データベース（３０８）が、通信ネットワーク内に配置されていることを特徴とする請求項１２に記載のシステム。
【請求項１４】
上記現位置においてＦＭ送信が許可されているか否かを限定する国データベース（３０８）が、端末ユニット（１１０）内に配置されていることを特徴とする請求項１２に記載のシステム。
【請求項１５】
請求項１に記載の方法を実現するためのソフトウェアコード。
【請求項１６】
請求項１５に記載のソフトウェアコードを格納しているソフトウェアプログラムプロダクト。
【発明の詳細な説明】
【技術分野】
【０００１】
本発明はＦＭ送信に関し、より特定的には、送信機がある地理的位置にある時にＦＭ送信を制御することに関する。本発明は、また、対応する端末、システム、モジュール、ソフトウェアコード、及びソフトウェアコンピュータプロダクトに関する。
【背景技術】
【０００２】
周波数変調（ＦＭ）は、情報が搬送波の瞬時周波数の変化として表されるような変調の一形状である。コロンビア大学のエドウィン・アームストロングは、1936年に発表した論文“ラジオシグナリングにおける妨害を周波数変調システムによって減少させる方法”においてＦＭラジオシステムを記述している。
【０００３】
ＦＭは、音声及び音楽のラジオ放送のために、超短波（ＶＨＦ）帯において使用されることが一般的である。ＶＨＦ帯は、電磁スペクトルの約30から約300ＭＨｚまでの範囲にわたっているが、殆どの国の商用ＦＭラジオ放送は88ＭＨｚから108ＭＨｚまでの範囲の周波数で動作している。電離層は通常はＶＨＦを反射せず、従って送信が局部的地域に限られることから、ＶＨＦ帯はローカルラジオ送信に適している。
【０００４】
現在、モバイルフォンハンドセット内に多くの機能を組合せる傾向がある。近年。韓国ソウルのサムスンエレクトロニック社は、内部1．6ＧＢハードドライブを有するモバイルフォンを発表した。サムスンSPH-V5400モバイルフォンは、2004年９月のＩＴＵテレコムアジア展示会において発売された。サムスンSPH-V5400モバイルフォンは更に、ユーザが近くのラジオ受信機上のフォーンから音楽を演奏させることができるように、ＦＭ送信機を含んでいる。
【０００５】
ＦＭ送信機をモバイルフォン内に組込むことによって、ＦＭ送信機を介して音楽または音声のようなオーディオ信号を別のデバイスへ送信することが可能になる。これらのオーディオ信号は、ホームステレオシステムのような別のデバイス上で演奏させることができる。ホームステレオプレーヤーは、典型的に、モバイルフォンハンドセットよりも遙かに高音質で音楽を演奏することができる。従って、ハンドセットで聴く音楽が良好であるとしても、もし音楽を例えば自動車またはホームステレオシステムへ送信することができれば音質を改善することができる。
【０００６】
ＦＭ送信を使用してデバイス間でオーディオを転送することによって、何等かのワイヤーまたはケーブルを必要とすることなく信号を無線で転送することができる。ＦＭ送信を使用してハンドセット間でオーディオ信号を転送するのに必要なことは、ハンドセットがＦＭ送信機を含み、また受信デバイスがＦＭ受信機を含むことだけである。
【０００７】
米国のような若干の国においては、音楽及び声をＦＭ受信機へ送るために低電力ＦＭラジオ帯送信機の使用が許可されている。このような低電力送信は、信号の伝播経路上に障害物が存在しなければ、数十メートル伝播することができる。若干の他の国、特にヨーロッパにおいては、現在、ＦＭ送信するためには個人が免許を持つことを法令が要求している。このようなＦＭ送信機を組込んだモバイルフォンハンドセットのユーザが、例えば米国からヨーロッパへ旅行してＦＭ送信機を使用し始めた時に問題が発生する。現在、ユーザが現行法に気を付けていない限り、ＦＭ送信が許可されているか否かをユーザが知る術はない。従って、ユーザは、ハンドセットを使用してＦＭを送信するのに免許が必要である国において、不注意にＦＭ送信を開始しかねない。
【発明の開示】
【発明が解決しようとする課題】
【０００８】
出願者は、個人によるＦＭ送信が許可されていない地理的領域にユーザが存在している時に、ＦＭ送信を制御する必要が存在していることを認識している。
【課題を解決するための手段】
【０００９】
本発明の第１の面によれば、ポータブルデバイスからＦＭラジオ信号を送信する方法が提供される。本方法は、ポータブルデバイスの地理的位置を検出するステップと、検出された位置においてＦＭ送信が許可されているか否かを決定するステップとを含む。
【００１０】
本発明による方法は、ポータブルデバイス内に設置されたＦＭ送信機を、このような動作を禁止している国において自動的に動作不能にできるという長所を有している。従って、本発明の実施の形態による方法を使用することの利点は、ポータブルデバイスのユーザが、ＦＭ送信法令が異なる国の間を安全に旅行できることである。
【００１１】
本方法は、更に、検出された位置においてＦＭ送信が許可されているか否かをユーザに警告するステップを含む。
【００１２】
本方法は、更に、現在位置においてＦＭ送信が許可されていなければ、ＦＭ送信を不能にするステップを含む。
【００１３】
本発明の第２の面によれば、ＦＭ送信が許可されているか否かを検出するモジュールが提供される。このモジュールは、ポータブルデバイスの地理的位置を検出する手段と、異なる地理的位置におけるＦＭ送信の許可に関する情報を含むルックアップテーブルとを含む。
【００１４】
本発明の第３の面によれば、本発明の第２の面によるモジュールを含むポータブルデバイスが提供される。本ポータブルデバイスは、更に、ＦＭ信号を送信するようになっているＦＭ送信機を含む。
【００１５】
本発明の第４の面によれば、ＦＭ信号を送信することができる端末、及びＦＭ信号を受信することができるデバイスを含むシステムが提供される。上記端末は、ＦＭ送信機の地理的位置を検出し、現位置においてＦＭ送信が許可されているか否かを決定する手段を含む。
【００１６】
本発明の第５の面によれば、本発明の方法を実現するソフトウェアコードが提供される。
【００１７】
本発明の第６の面によれば、本発明によるソフトウェアコードが格納されているソフトウェアプログラムプロダクトが提供される。
【００１８】
以下の添付図面に基づく詳細な説明から、本発明の他の特色が明白になるであろう。
【発明を実施するための最良の形態】
【００１９】
図１は、本発明の実施の形態が存在し得る動作環境を示している。即ち、図１には、ポータブルエレクトロニックデバイス１１０が示されており、このデバイス１１０は、この場合モバイルフォンハンドセットであり、ＦＭ送信機能を含んでいる。ポータブルエレクトロニックデバイス１１０は、専用ポータブル音楽プレーヤー、またはパーソナルデジタルアシスタント（ＰＤＡ）であることもできる。代替として、エレクトロニックデバイス１１０は、自動車内に恒久的に設置されていることもでき、その場合、エレクトロニックデバイスは自動車の移動に伴って移動する。
【００２０】
図１には、第２のエレクトロニックデバイス１２０も示されている。このデバイス１２０は、この場合ホームステレオシステムである。第２のエレクトロニックデバイス１２０は、ＦＭ信号を受信することができる他の何等かのエレクトロニックデバイスであることもできる。エレクトロニックデバイス１２０は、例えばカーステレオ、またはＦＭ受信機を有する別のモバイルフォンハンドセットであることもできる。
【００２１】
モバイルフォンハンドセット１１０は、例えば音楽のようなオーディオ信号をホームステレオシステム１２０へ送信するために、ＦＭ送信を使用する。代替として、音楽の代わりに他の型のオーディオ信号（例えば、スピーチまたは他の何等かの音響）を送信することができる。ホームステレオシステム１２０は、モバイルフォンハンドセット１１０のＦＭ送信機によって送信された音楽を受信し、スピーカ１２２を介して可聴音響として音楽を出力する。従って、モバイルフォンハンドセット１１０のユーザは、モバイルフォンハンドセット１１０から音楽を聴く代わりに音楽をホームステレオシステム１２０へ送ることができる。従って、ユーザは、その音楽をモバイルフォンハンドセット１１０で演奏した時よりも高音質で聴くことができる。音楽を送信する時に、ワイヤーまたはケーブルは必要ではない。ホームステレオシステム１２０で音楽を聴くために、モバイルフォンハンドセット１１０のユーザはＦＭ送信機能を活動化させ、次いでモバイルフォンハンドセットが送信している周波数と同じ周波数にホームステレオシステム１２０を同調させる。
【００２２】
しかしながら、背景技術において説明したように、若干の場所においては、ユーザが免許を持っていない限りＦＭ送信は許可されない。モバイルフォンハンドセット１１０は、ＦＭ信号の送信を適応制御することによって、この問題に対処する。即ち、免許を持たないＦＭ送信が許可されていない場所におけるＦＭ信号の不注意な送信を防ぐことができる。代替として、または付加的に、若干の位置においてはＦＭ送信が許可されていないことを指示する警告メッセージを、モバイルフォンハンドセット１１０のユーザに示すことができる。
【００２３】
図２は、モバイルフォンハンドセットのようなエレクトロニックデバイスからのＦＭ信号の送信を適応制御する方法を示している。ステップ２０１において、ハンドセット１１０の地理的位置が検出される。ステップ２０２において、ハンドセット１１０の位置に基づいてＦＭ送信が許可されるか否かが決定される。もしＦＭ送信が許可されていれば、ハンドセットはＦＭ送信を開始することができる（ステップ２０３）。しかしながら、もしＦＭ送信が許可されない位置にあれば、ステップ２０４において、ＦＭ送信は許可されていないことがハンドセット１１０の処理ユニットに通知される。これは、ハンドセット１１０のディスプレイ上に特定のメッセージが表示されることをも意味している。ステップ２０５において、ＦＭ送信は動作不能にされる。ステップ２０５は、オプションである。それは、ＦＭ送信が許可されないことがハンドセット１１０のユーザに明示されるので、ＦＭ送信を動作不能にする必要はないかも知れないからである。その代わりに、ＦＭ送信を使用する責任はハンドセット１１０のユーザに委ねられる。
【００２４】
図３は、図１のモバイルフォンハンドセット１１０のブロックダイアグラムである。ハンドセット１１０は、例えば、ＧＳＭ、ＧＰＲＳ、ＥＤＧＥ、ＨＳＣＳＤ、ＵＭＴＳ、ＣＤＭＡ 2000、ＩＳ95等のような標準の１つまたは複数に従ってセルラ電話機として機能する。ハンドセット１１０は、メモリ３０１をも含む。このメモリは、ランダムアクセスメモリ（ＲＡＭ）であることも、読出し専用メモリ（ＲＯＭ）であることもできる。適当なデータをこのメモリ内に格納することができる。更に、ハンドセット１１０は、入力／出力（Ｉ／Ｏ）手段３０２を含む。入力手段は、例えばキーボードであることができるが、タッチパッドまたはタッチスクリーンであることもできる。音声情報を受信するための入力手段として、マイクロホンを設けることもできる。出力手段は、例えば、液晶ディスプレイ（ＬＣＤ）のようなディスプレイを設けることができる。スピーチまたは音響を出力するための出力手段として、ラウドスピーカを設けることもできる。他の適当な入力／出力手段も可能である。
【００２５】
ハンドセット１１０は、ＦＭ送信機３０５（ＴＸ  ＦＭ）、及びセルラトランシーバユニット３０６（ＴＲＸ cel）をも含む。ＴＸ  ＦＭ ３０５及びＴＲＸ cel ３０６は、共通回路を共用する単一のユニットに組合せることも可能である。信号を受信し、送信するために、ハンドセット１１０はアンテナ３０７を含む。２つまたはそれ以上の分離したアンテナを使用することもできるが、この実施の形態においては、同一のアンテナでＦＭ及びセルラ信号を送受信することができる。
【００２６】
ハンドセット１１０は、セルラトランシーバユニット３０６（ＴＲＸ cel）を制御する処理ユニット３０４（ＰＵ cel）、及びＦＭ送信奇異３０５（ＴＸ  ＦＭ）を制御する処理ユニット３０３（ＰＵ  ＦＭ）をも含む。セルラ処理ユニット３０４（ＰＵ cel）は、このハンドセットによって支援されるセルラ標準に依存して、１つまたはそれ以上のセルラエンジンを含む。ハンドセット１１０は、ハンドセット１１０の中央機能を制御する中央処理ユニット３１０（ＣＰＵ）をも含む。各処理ユニットは、データを処理するための少なくとも１つのプロセッサを含む。これらの処理ユニットは、単一のプロセッサに組合せることもできる。処理ユニットは、各々、直接または間接的にメモリユニット及びＩ／Ｏ手段に接続されている。本実施の形態によれば、ハンドセット１１０は、国データベース３０８及び測位エンジン３０９（Ｐos engine）（詳細は後述する）をも含む。
【００２７】
以下に、図２のフローチャートを参照しながら、図３のハンドセット１１０の動作を説明する。ステップ２０１において、ハンドセット１１０はその地理的位置を検出する。第１の実施の形態によれば、ハンドセットは測位エンジン３０９を使用することによって、それ自体によってその位置を検出する。ハンドセット１１０の位置は、例えば現セルＩＤを検査することによって限定することができる。これは、セルラシステム内の各セルが、セルＩＤとして知られる独特なコード（これは、現セルを識別するために使用される）を入手しているから可能なのである。また、搬送波コードを使用して、ハンドセット１１０が現在位置している国を識別することができる。搬送波コードは、搬送波が国特有である傾向があるので使用することができる。また、衛星測位エンジンを使用して、現位置を限定することができる。このようなエンジンの例は、全地球測位システム（ＧＰＳ）、欧州代替ガリレオ、またはロシアのグロナス（ＧＬＯＮＡＳＳ）である。衛星測位システムを使用するには、ハンドセットが衛星測位を遂行するための十分な手段を有している必要がある。衛星測位を使用すると、10メートルより良好な精度を達成することができる。更に、若干のＷＬＡＮをベースとする位置検出手段、並びに他の適切な位置検出手段を使用することができる。
【００２８】
ハンドセット１１０の現位置が分かると、ＦＭ送信が可能な国のルックアップリストを識別し、次いでそれを搬送波またはセルＩＤにマップすることができる。図５は、国データベース３０８（これは、ルックアップテーブルである）を表している。国データベース３０８は、ハンドセット１１０の現位置においてＦＭ送信が許可されているか否かを限定するために使用することができる。国データベース３０８の第１列は搬送波コードを定義し、第２列は対応する国を定義し、そして最後の列はＦＭ送信が許可されているか否かを告げている。もしセルＩＤがハンドセット１１０の位置を限定するために使用されていれば、第１列はセルＩＤを定義する。もし衛星測位を使用して位置を限定していれば、第１列は無用である。
【００２９】
ホーム搬送波エリア内にあるかまたはローミングしている場合には、ハンドセット１１０は搬送波コードまたはセルＩＤを見て、それを国へ、次いでＦＭ送信が許可されているか否かの定義へマップすることができる。国データベーステーブル３０８は、部分的には異なるフォーマットで利用可能であるが、ハンドセット１１０内へ組込むために開発中はアセンブリする必要がある。代替として、国データベース３０８のソフトウェアコードを後刻ハンドセット１１０上へダウンロードすることができる。国データベース３０８の更新は、これらのような法令がある程度固定的であるので、無用であるかも知れない。しかしながら、国データベース３０８は更新も可能である。この更新は、ハンドセット１１０のユーザ自体によって行うことができ、または代替として、例えばセルラネットワークを介してハンドセット１１０へ自動更新を送ることができる。
【００３０】
第２の実施の形態によれば、国データベース３０８をネットワーク内に配置することができる。図４は、この実施の形態を示している。ハンドセット１１０は、ＦＭ送信が無線によって許可されているか否かに関する情報を取出すことができる。この実施の形態は、国に特定の情報が維持されている特定の中央国データベース３０８を必要とする。国データベース３０８は、例えばホーム位置レジスタ（ＨＬＲ）に物理的に近接して配置することができる。従って、各ネットワークオペレータは、それ自体の国データベース３０８を有することができる。勿論、他の何等かの適切な位置が可能である。世界中の全てのユーザのために、１つの国データベース３０８だけを有することも可能である。しかしながら、これはインターネットプロトコルアクセスによってより良好に支援されよう。法令が改正され次第、国データベース３０８を容易に更新することができる。この長所は、ハンドセット１１０のユーザが常に最新の情報を受信することである。
【００３１】
第３の実施の形態によれば、ステップ２０１において、ハンドセット１１０の位置は基地局のようなネットワーク要素によって決定される。この実施の形態は、ハンドセット１１０が位置しているセルを基地局が知っているから可能なのである。従って、ハンドセット１１０内に測位エンジン３０９を設ける必要はない。この実施の形態によれば、国データベースはネットワーク内、またはハンドセット１１０内の何れかに配置することができる。
【００３２】
ステップ２０１においてハンドセット１１０の位置を検出した後に、この位置においてＦＭ送信が許可されているか否かが次に決定される。もしこの特定位置においてＦＭ送信が許可されていれば、端末はＦＭ送信を開始することができる（ステップ２０３）。もしハンドセット１１０のユーザが、Ｉ／Ｏ手段を使用することによって彼等がＦＭ送信を開始したいことを指示すれば、ＰＵ  ＦＭ ３０３はＴＸ  ＦＭ ３０５を制御し、ＦＭ信号を送信することができる。
【００３３】
しかしながら、もしＦＭ送信が許可されていなければ（ステップ２０４）、ＰＵ  ＦＭ ３０３は、ＦＭ送信が許可されていないことを知らされる。また、ハンドセット１１０のユーザにも、ＦＭ送信が許可されていないことを知らせることができる。この場合、特定のメッセージをハンドセット１１０のスクリーン上に表示することができる。例えば、“この領域では、国の法令によってＦＭ送信は許可されていません”のようなメッセージを表示させることができる。勿論、このメッセージの代わりに、他の適当なメッセージを表示させることもできる。このメッセージは、ハンドセット１１０の現位置ではＦＭ送信が許可されていないことを音声で伝えることも、または特定の発光ダイオードを点滅させることによって指示することもできる。
【００３４】
ステップ２０５において、ＦＭ送信が動作可能にされる。しかしながら、この機能はオプションである。もしＦＭ送信を動作可能にしないのであれば、ＦＭ送信の続行または開始の責任はハンドセット１１０のユーザに委ねられる。
【００３５】
ハンドセット１１０がセルラネットワークのカバレッジエリアの外にある場合、またはその他の理由から現位置情報が利用できなければ、ハンドセット１１０の最新位置からの情報を使用して位置を決定することができる。これらも、ハンドセット１１０のユーザが、彼等が現在位置している国を彼等自身が挿入できるようにするために、オプションである。セルラネットワークカバレッジが存在しない場合、または他の若干の理由から位置情報が使用できない場合に、このオプションを使用することができる。
【００３６】
本発明は、対応するソフトウェアコードにも関する。このソフトウェアコードは、上述した実施の形態による方法の少なくとも部分を実現するために使用することができる。本発明は、ソフトウェアコードを格納することができる対応ソフトウェアプログラムプロダクトにも等しく関連している。
【００３７】
ハンドセット１１０においては、本発明の全ての発明的特色を単一のモジュール内に組込むことができる。第１の実施の形態によれば、モジュールは少なくとも国データベース３０８、及び測位エンジン３０９を含む。このモジュールは、位置関連データを処理できるように、少なくとも１つのプロセッサをも含む。モジュールは、位置自体を見出す必要はないが、その代わりに、位置を見出す手順を制御することができる。
【００３８】
本発明は、上述した方法を実現する手段を含むハンドセット１１０にも関する。第１の実施の形態によれば、ハンドセット１１０は上述したモジュールも含む。
【００３９】
最後に、本発明はハンドセット１１０を使用することができるシステムに関する。第２の実施の形態によれば、システムはＦＭ送信が許可されているか否かを識別する国データベース３０８を含む。代替として、このようなデータベースはハンドセット１１０内に配置することもできる。
【００４０】
以上に説明した実施の形態は多くの手法で変化させることが可能であり、これらの実施の形態は本発明の単なる例示に過ぎないことを理解されたい。
【図面の簡単な説明】
【００４１】
【図１】ＦＭラジオリンクを介して第２のデバイスと通信する第１のデバイスを示す図である。
【図２】本発明の実施の形態による方法を示すフローチャートである。
【図３】本発明の実施の形態によるＦＭ送信機を含む無線端末を示すブロックダイアグラムである。
【図４】本発明の第２の実施の形態を示す図である。
【図５】国データベースを示す図である。
【図１】
2008541537.tif 000003
【図２】
2008541537.tif 000004
【図３】
2008541537.tif 000005
【図４】
2008541537.tif 000006
【図５】
2008541537.tif 000007
【国際調査報告】
2008541537.tif 000008
2008541537.tif 000009